(57)【特許請求の範囲】
【請求項１】
鋼矢板の本体に設けられた鋼矢板の長手方向に沿う第１継手と第２継手とを鋼矢板の長手方向に沿う継手挿入スリットを介して互いに嵌合して構成される鋼矢板の継手構造において、継手挿入スリットを有する継手の外面に、継手挿入スリットを外側から塞ぐ止水板が幅方向の左右両端部をスタッドボルト・ナット・帯板あるいは皿ねじ・帯板で強固に固定して設けられ、この止水板は、継手挿入スリットに挿入される継手により板幅方向の左右に分割可能な閉じ合せ部が鋼矢板の長手方向に沿って設けられた弾性体からなる第１層と、この第１層の表面を覆う、継手により容易に分断できる薄板材からなる第２層から構成されていることを特徴とする鋼矢板の継手構造。
【請求項２】
請求項１に記載の鋼矢板の継手構造において、止水板の第１層の閉じ合せ部は、左右に分割した弾性体の斜めの傾斜端面で重ね合わせることにより形成され、あるいは、弾性体の一方の表面から板厚方向に切り込みを入れて形成され、あるいは、板厚方向に間隔をおいて配置された不連続なスリットまたは孔により形成されていることを特徴とする鋼矢板の継手構造。
【請求項３】
請求項１に記載の鋼矢板の継手構造において、止水板の第１層の閉じ合せ部は、鋼矢板の長手方向に間隔をおいて配置された不連続なスリットまたは孔により形成されていることを特徴とする鋼矢板の継手構造。
【請求項４】
請求項１から請求項３までのいずれか一つに記載の鋼矢板の継手構造において、止水板の第１層は、複数層の弾性体から構成され、各層の弾性体の閉じ合せ部が止水板幅方向にずれていることを特徴とする鋼矢板の継手構造。
【請求項５】
請求項１から請求項３までのいずれか一つに記載の鋼矢板の継手構造において、継手挿入スリットを有する継手がＣ型継手管で、継手挿入スリットに挿入される継手が基端側のウェブ板部と先端側の漏洩防止ゴムが取り付けられたフランジ板部とからなるＴ型継手であって、Ｔ型継手の下端部におけるフランジ板部に、フランジ板部とＣ型継手管との間隔を保持する間隔保持部材としての幅止め鋼板が取り付けられていることを特徴とする鋼矢板の継手構造。
【請求項６】
鋼矢板の本体に設けられた鋼矢板の長手方向に沿う第１継手と第２継手とを鋼矢板の長手方向に沿う継手挿入スリットを介して互い嵌合して構成される鋼矢板の継手構造の施工方法において、
請求項１から請求項５までのいずれか一つに記載の鋼矢板の継手構造を用い、継手挿入スリットに挿入される継手の下端には、止水板を左右に分割可能な切り裂き刃物を設け、既に打設されている鋼矢板の継手内に次の鋼矢板の継手を嵌合挿入することにより、継手挿入スリットを塞ぐ止水板を切り裂き刃物で左右に切り裂いて分離させると共に、分離した左右の止水板の端部をそれぞれ継手の両面に継手を左右両側から挟むように圧接させることを特徴とする鋼矢板の継手構造。
【発明の詳細な説明】
【技術分野】
【０００１】
本発明は、鋼管矢板、鋼管セル等の鋼矢板の継手構造およびその施工方法に関するものである。
【背景技術】
【０００２】
例えば護岸や防波堤などの築造には、例えばＰ−Ｔ継手の鋼管矢板の場合、鋼管本体の左右両側の外面に、鋼管軸方向に沿う小径鋼管(Ｃ型継手管)の雌継手とＣＴ形鋼（Ｔ型継手）の雄継手をそれぞれ溶接固定した鋼管矢板を用い、Ｃ型継手管内にその継手挿入スリットを介してＴ型継手を挿入して嵌合させることにより、隣り合う鋼管矢板同士を相互に接続して護岸等を築造することが行われている。Ｃ型継手管内の土砂は掘削し洗浄し、外部に排土した後、Ｃ型継手管内にモルタル等の充填材(止水材)を充填することにより、Ｃ型継手管に対してＴ型継手を固定すると共に、Ｃ型継手管とＴ型継手との間の止水を行っている。
【０００３】
このような鋼管矢板の継手構造においては、Ｃ型継手管とＴ型継手との間には、隙間が空いているため、継手を挿入する工程およびその後の掘削・洗浄工程において周囲の泥土や水がＣ型継手管内に流入し、Ｃ型継手管内の掘削や洗浄作業等が著しく低下するなどの不具合がある。
【０００４】
このような不具合を解消するものとして、Ｃ型継手管等の雌継手とＴ型継手等の雄継手の間の隙間を止水する技術が提案されている（例えば、特許文献１、２参照）。
【０００５】
特許文献１には、Ｃ型継手管内に配置されるＴ型継手の先端フランジ板の左右両側に、水膨潤ゴム（文献図１参照）、ゴムや合成樹脂等の遮水板（文献図５参照）を設け、この遮水手段をＣ型継手管の内周面に圧接して、Ｃ型継手管の内部空間への水や泥土の流入を遮断した後、内部空間内の水を排水し、次いで内部空間内にアスファルト混合物やモルタル等の充填材を充填することが記載されている。また、その文献図２０〜２２には、Ｃ型継手管内に挿入される薄肉円筒のスリットに左右一対で配置されたゴムや合成樹脂等の遮水部材の間をＴ型継手が分け入るようにして挿入されることにより遮水を行うことが記載されている。
【０００６】
特許文献２には、雌継手のスリットの外側にゴムや合成樹脂製の弾性止水材を、雄継手を挟むように設け、雄継手の嵌入の際および嵌入後に弾性止水材が雄継手の表面に弾性的に密着し、雌継手と雄継手との間に水や泥土等が侵入するのを防止することが記載されている。
【０００７】
【特許文献１】特開２００３−５５９５８号公報
【特許文献２】特開２００５−２３５１４号公報
【発明の開示】
【発明が解決しようとする課題】
【０００８】
前述のような鋼管矢板等の止水構造の場合、構造が複雑となる、コストがかかるなどの課題があり、また鋼管矢板等の打設時に継手挿入スリットを完全に塞ぐことができないなどの課題がある。
【０００９】
本発明は、このような課題を解消すべくなされたものであり、鋼管矢板や鋼板セル等の鋼矢板の継手構造において、比較的簡単で低コストの止水構造により優れた止水性能を有する継手構造を得ることができる鋼矢板の継手構造およびその施工方法を提供することにある。
【課題を解決するための手段】
【００１０】
本発明の請求項１は、鋼矢板の本体に設けられた鋼矢板の長手方向に沿う第１継手と第２継手とを鋼矢板の長手方向に沿う継手挿入スリットを介して互いに嵌合して構成される鋼矢板の継手構造において、継手挿入スリットを有する継手の外面に、継手挿入スリットを外側から塞ぐ止水板が幅方向の左右両端部をスタッドボルト・ナット・帯板あるいは皿ねじ・帯板で強固に固定して設けられ、この止水板は、継手挿入スリットに挿入される継手により板幅方向の左右に分割可能な閉じ合せ部が鋼矢板の長手方向に沿って設けられた弾性体からなる第１層と、この第１層の表面を覆う、継手により容易に分断できる薄板材からなる第２層から構成されていることを特徴とする鋼矢板の継手構造である。
【００１１】
本発明は、鋼管矢板のＰ−Ｔ継手、Ｌ−Ｔ継手、Ｐ−Ｐ継手、あるいは、鋼管セル等の継手など、継手挿入スリットを有する継手構造に適用されるものである。図１、図２（鋼管矢板のＰ−Ｔ継手）に示すように、継手挿入スリットを特別な構造の止水板で完全に閉塞する。止水板の幅方向の左右両端部は、スタッドボルト・ナット・帯板あるいは皿ねじ・帯板などで強固に固定する。
【００１２】
止水板の第１層には、ゴムや合成樹脂等の止水性と弾性を有する板材を用い、幅方向の中央に、通常は閉じて止水することができ、かつ、継手により容易に切り裂くことができる閉じ合せ部を設ける。止水板の第２層には、布やゴムシート等の薄板材を用い、左右に分割可能な第１層を補強により一体化して閉じ合せ部の拡開を防止でき、かつ、継手により容易に分断できるようにする。第１層は内側に、第２層は外側に配置するのが好ましい。また、二重構造に限らず、第１層の両側に第２層を設けるなどすることもできる。
【００１３】
本発明の請求項２は、請求項１に記載の鋼矢板の継手構造において、止水板の第１層の閉じ合せ部は、左右に分割した弾性体の斜めの傾斜端面で重ね合わせることにより形成され、あるいは、弾性体の一方の表面から板厚方向に切り込みを入れて形成され、あるいは、板厚方向に間隔をおいて配置された不連続なスリットまたは孔により形成されていることを特徴とする鋼矢板の継手構造である。
【００１４】
図４（ｂ）に示すように、例えば、突合せ、斜めの傾斜端面で重ね合わせ、切り込み、不連続スリット又は不連続孔により閉じ合せ部を形成することにより、止水性を確保した上で、継手により止水板を容易に左右に切り裂くことができる。
【００１５】
本発明の請求項３は、請求項１に記載の鋼矢板の継手構造において、止水板の第１層の閉じ合せ部は、鋼矢板の長手方向に間隔をおいて配置された不連続なスリットまたは孔により形成されていることを特徴とする鋼矢板の継手構造である。
【００１６】
図４（ｃ）に示すように、鋼矢板長手方向に関しては、例えば不連続スリットや不連続孔により閉じ合せ部を形成することにより、左右の止水板の一体性を確保した上で、継手により止水板を容易に左右に切り裂くことができる。
【００１７】
請求項１に記載の鋼矢板の継手構造においては、止水板の第１層は、左右に分割した弾性体の先端部同士をラップさせることにより二重の閉じ合せ部に形成することもできる（図７（ａ）参照）。
【００１８】
本発明の請求項４は、請求項１から請求項３までのいずれか一つに記載の鋼矢板の継手構造において、止水板の第１層は、複数層の弾性体から構成され、各層の弾性体の閉じ合せ部が止水板幅方向にずれていることを特徴とする鋼矢板の継手構造である（図７（ｂ）参照）。
【００１９】
図７に示すように、分割した弾性体の先端部同士を所定長さ重ね合わせることにより、あるいは、内外複数層の弾性体の閉じ合せ部を継手挿入スリットの幅方向に互いにずらすことにより、図８に示すように、継手のずれ等による隙間が発生しても、隙間発生側の弾性体が継手の側面に当接し、隙間の発生を防止することができる。これにより、左右一対の止水板による止水効果が大幅に向上する。
【００２０】
本発明の請求項５は、請求項１から請求項３までのいずれか一つに記載の鋼矢板の継手構造において、継手挿入スリットを有する継手がＣ型継手管で、継手挿入スリットに挿入される継手が基端側のウェブ板部と先端側の漏洩防止ゴムが取り付けられたフランジ板部とからなるＴ型継手であって、Ｔ型継手の下端部におけるフランジ板部に、フランジ板部とＣ型継手管との間隔を保持する間隔保持部材としての幅止め鋼板が取り付けられていることを特徴とする鋼矢板の継手構造である（図９参照）。
【００２１】
図９（ｃ）に示すように、継手の下端部等に設けた間隔保持部材（幅止め鋼板）により、継手が奥へ進入する方向にずれないようにすることができ、対向する継手と鋼矢板との間に弾性体が挟まれることがなく、破損が防止される。これにより、左右一対の止水板による止水効果が大幅に向上する。
【００２２】
本発明の請求項６は、鋼矢板の本体に設けられた鋼矢板の長手方向に沿う第１継手と第２継手とを鋼矢板の長手方向に沿う継手挿入スリットを介して互い嵌合して構成される鋼矢板の継手構造の施工方法において、
請求項１から請求項５までのいずれか一つに記載の鋼矢板の継手構造を用い、継手挿入スリットに挿入される継手の下端には、止水板を左右に分割可能な切り裂き刃物を設け、既に打設されている鋼矢板の継手内に次の鋼矢板の継手を嵌合挿入することにより、継手挿入スリットを塞ぐ止水板を切り裂き刃物で左右に切り裂いて分離させると共に、分離した左右の止水板の端部をそれぞれ継手の両面に継手を左右両側から挟むように圧接させることを特徴とする鋼矢板の継手構造である。
【００２３】
例えば図３に示すような外に向かって下り勾配の刃が下端に形成された切り裂き刃物を用い、止水板の幅方向の中央を左右に切り裂き、止水板を左右に分離する。継手を左右両側から挟むように端部が圧接された左右一対の止水板により継手挿入スリットが止水され、雌継手等の内部あるいは雄継手等に取付けられた漏洩防止ゴムで囲まれた充填空間内に止水材が充填される。
【００２４】
また、図６（ａ）、（ｂ）に示すように、切り裂き刃物の刃の下り勾配の傾斜をきつく（大きく）することにより、図６（ｃ）に示すように、弾性体の先端が刃のきつい傾斜により外側に開きやすくなり、継手内に巻き込まれず、理想的な状態を保つことができる。これにより、左右一対の止水板による止水効果が大幅に向上する。
【００２５】
以上のような構成において、（1）鋼矢板の打設時には、継手挿入スリットが止水板により完全に閉塞されており、継手の内部空間に周囲から泥水や水が侵入するのが確実に防止される。（2）既に打設されている鋼矢板の継手内に次に打設する鋼矢板の継手を挿入していくと、止水板は継手の切り裂き刃物により左右に切り裂かれて左右に分離し、分離した左右の止水板の端部がそれぞれ継手の両面に弾性変形により圧接されて密着し、継手の内部空間内に周囲から泥水や水が侵入するのが確実に防止される。（3）継手の内部空間内の土砂を掘削し洗浄し、外部に排土する際、上記のように左右に分離した止水板により泥水や水の侵入が確実に防止され、作業を支障なく迅速に行うことができる。（4）継手の内部空間内あるいは漏洩防止ゴムで囲まれた充填空間内にモルタル等の止水材が充填され、継手同士が固定されると共に、止水板と止水材や漏洩防止ゴムにより継手と継手との間が確実に止水される。
【発明の効果】
【００２６】
本発明は、以上のような構成からなるので、次のような効果を奏することができる。
【００２７】
(1) 鋼管矢板や鋼板セル等の鋼矢板の継手構造において、継手の継手挿入スリットを特別な構造の止水板で完全に閉塞するようにしたため、打設時、掘削・洗浄・排土時において確実で良好な止水がなされ、継手内の掘削や洗浄作業等を支障なく迅速に行うことができ、作業能率の向上およびコストの低減が図れる。また、施工終了後においても優れた止水性能を得ることができる。
【００２８】
(2）継手の外面に二重構造等の止水板をボルト等で取付けるため、比較的簡単で低コストの止水構造により優れた止水性能を有する継手構造を得ることができる。
【発明を実施するための最良の形態】
【００２９】
以下、本発明を図示する実施形態に基づいて説明する。この実施形態は、鋼管矢板のＰ−Ｔ型継手に適用した例である。図１は、本発明の継手構造における止水構造の一例を示す水平断面図である。図２は、図１の止水板の取付方法が異なる例を示す水平断面図である。図３は、本発明で用いる継手先端刃物の例を示す平面図・正面図・側面図である。図４は、本発明で用いるゴム板の種々の例を示す水平断面図・拡大断面図・拡大断面図である。
【００３０】
図１において、鋼管矢板１は、鋼管本体２の左右両側の外面に、鋼管軸方向に平行な小径鋼管からなる雌継手のＣ型継手管３とＣＴ（カットティー）形鋼からなるＴ型継手４とをそれぞれ溶接固定して構成されている。Ｃ型継手管３には、溶接固定側の反対側に鋼管軸方向に平行で所定の幅を有する継手挿入スリット５が形成されている。Ｔ型継手４は、基端側のウェブ板部４ａと先端側のフランジ板部４ｂから一体的に構成されている。
【００３１】
既に打設されている鋼管矢板のＣ型継手管３内に、次に打設する鋼管矢板のＴ型継手４を、継手挿入スリット５を介して挿入していく。Ｔ型継手４は、Ｃ型継手管３内に隙間をおいた遊嵌状態で嵌合する。Ｃ型継手管３内には、内部の土砂の掘削・洗浄・排土後に、モルタル等の止水材６が充填される。図示例では、フランジ板部４ｂの外面に漏洩防止ゴム７がボルトで予め取付けられており、Ｃ型継手管３の内周面に両端部が当接する漏洩防止ゴム７で囲まれた充填空間に止水材６が充填され、モルタルジャケット方式よりも高い止水性能が得られる。
【００３２】
このような継手構造において、本発明では、図１に示すように、可撓性を有する二重構造の止水板１０により継手挿入スリット５をＣ型継手管３の外側から完全に閉塞する。止水板１０の幅は、継手挿入スリット５の開口幅よりも十分に大きくし、継手挿入スリット５の左右両側に位置する両端部をスタッドボルト２０と、座金付きのフランジナット２１と、フラットバー等の帯板２２により強固に固定する。スタッドボルト２０は鋼管軸方向に所定の間隔をおいて多数配置されており、Ｃ型継手管３の外面に溶接で取り付けられる。帯板２２も鋼管軸方向に沿って延在しており、帯板２２・止水板１０のボルト孔に挿入されたスタッドボルト２０にフランジナット２１を締め付けることで、止水板１０の両端部が押え付けられ、良好な止水性が得られる。
【００３３】
図２の実施形態では、スタッドボルトとフランジナットに代えて皿ねじ２５が用いられている。Ｃ型継手管３には雌ねじ孔２６が穿設されており、帯板２２には座ぐり２７が形成され、皿ねじ２５をねじ込むことで強固に固定される。
【００３４】
止水板１０は、図１に示すように、内側の比較的厚板のゴム板１１（第１層）と、外側の比較的薄板状の押え布１２（第２層）から構成されている。ゴム板１１には、継手挿入スリット５に面する板幅方向の中央に、後に詳述する閉じ合せ部１３が形成され、通常は閉じて泥水や水が侵入しないようにされ、Ｔ型継手４の挿入時には、Ｔ型継手４により閉じ合わせ部１３が切り裂かれて拡開し、左右のゴム板１１ａ、１１ｂに分離するようにされている。分離した左右のゴム板１１ａ、１１ｂの先端部はそれぞれウェブ板部４ａの表面に弾性変形で押圧されて密着し、良好な止水性能が得られる。材質はゴムが好ましいが、その他の弾性体でもよい。
【００３５】
押え布１２は、左右のゴム板１１ａ、１１ｂを補強により一体化して、Ｃ型継手管３の打設時に左右のゴム板１１ａ、１１ｂが左右に拡開しないようにするものであり、かつ、Ｔ型継手４により容易に切り裂くことができる部材である。材質は布に限らず、上記の２要件を満たすその他の板状部材を使用することができる。また、止水性を有する部材でもよい。
【００３６】
図３に示すように、Ｔ型継手４の下端には、上記のような止水板１０を左右に切り裂く切り裂き刃物３０を取付けるのが好ましい。この刃物３０は、ウェブ板部４ａと同じ板厚の板材から構成し、ウェブ板部４ａと連続するように取付け、下部には断面がＶ字状で尖鋭な刃３０ａを設ける。この刃３０ａは、側面視でフランジ板部４ｂ向かって下り勾配で傾斜した刃先とし、Ｔ型継手４を挿入するだけで止水板１０を簡単に切り裂くことができるようにする。
【００３７】
図４に示すように、ゴム板１１の閉じ合せ部１３は、左右のゴム板１１ａと１１ｂとを直角の端面１３ａで突き合わせる、あるいは斜めの傾斜端面１３ａで重ね合わせることにより形成することができる。あるいは、ゴム板１１の外面から直角に切り込んで内面に到達しない切り込み１３ｂで形成することができる。あるいはゴム板１１の板厚方向に平行なスリットまたは孔を板厚方向に間隔をおいて複数設けた不連続スリット１３ｃまたは不連続孔１３ｃ´で形成することができる。このような閉じ合せ部１３により、止水性を確保した上で、刃物３０によりゴム板１１を容易に左右に切り裂くことができる。
【００３８】
また、ゴム板１１の鋼管軸方向に関しては、スリットまたは孔を鋼管軸方向に間隔をおいて配置した不連続スリット１３ｃあるいは不連続孔１３ｃ´で閉じ合せ部１３を形成することができる。左右のゴム板１１ａ、１１ｂの一体性を確保した上で、刃物３０によりゴム板１１を容易に左右に切り裂くことができる。
【００３９】
以上のような構成の継手構造において、次のような手順で施工を行う（図１〜３参照）。
【００４０】
（1）打設前にＣ型継手管３に止水板１０を取り付けておき、鋼管矢板１を打設する。二重構造の止水板１０により継手挿入スリット５は完全に閉塞されており、Ｃ型継手管３内に周囲から泥水や水が侵入するのを確実に防止することができる。
【００４１】
（2）既に打設されている鋼管矢板１のＣ型継手管３内に次に打設する鋼管矢板１のＴ型継手４を挿入していく。止水板１０はＴ型継手４の切り裂き刃物３０により左右に切り裂かれ、分離する。分離した左右のゴム板１１ａ、１１ｂの端部がそれぞれＴ型継手４の両面に弾性変形により圧接されて密着し、Ｃ型継手管３内に周囲から泥水や水が侵入するのを確実に防止することができる。
【００４２】
（3）Ｃ型継手管３内の土砂を掘削し洗浄し、外部に排土する。この際、上記のように左右に分離したゴム板１１ａ、１１ｂにより泥水や水の侵入が確実に防止され、作業を支障なく迅速に行うことができる。
【００４３】
（4）Ｃ型継手管３内あるいは漏洩防止ゴム７で囲まれた充填空間にモルタル等の止水材６を充填する。Ｃ型継手管３に対してＴ型継手４が固定されると共に、止水板１０と止水材６や漏洩防止ゴム７によりＣ型継手管３とＴ型継手４との間が止水される。
【００４４】
次に、図５は本発明の継手構造においてゴム板の止水効果が損なわれる不具合の例を示したものであり、図６〜図９に、この不具合を解消することができる改良案の例を示す。
【００４５】
図５（ａ）は、一方のゴム板１１ａがＣ型継手管３内に入り込むことによって、Ｔ型継手４との間に挟まれて破損し、同時に反対側のゴム板１１ｂとＴ型継手４との間に隙間が生じ、土砂が流入する不具合の例である。
【００４６】
図５（ｂ）は、ゴム板１１の状態によらず、Ｔ型継手４が図示のように奥へ進入する方向にずれた場合、Ｃ型継手管３と鋼管矢板１との間にゴム板１１が挟まれて破損する不具合の例である。
【００４７】
図５（ａ）の不具合に対して、図６（ａ）、（ｂ）に示すように、切り裂き刃物３０の刃３０ａの下り勾配の傾斜をきつく（大きく）する。図６（ｃ）に示すように、ゴム板１１ａ、１１ｂの先端が刃３０ａのきつい傾斜により外側に開きやすくなり、Ｃ型継手管３内に巻き込まれず、理想的な状態を保つことができる。
【００４８】
また、図７（ａ）に示すように、ゴム板１１ａ、１１ｂの先端部どうしをラップさせて閉じ合わせる構造とし、あるいは、図７（ｂ）に示すように、ゴム板１１を内外二層構造とし、それぞれの閉じ合せ部１３をＣ型継手管３の円周方向にずらす構造とする。図８に示すように、Ｔ型継手４のずれ等による隙間が発生しても、隙間発生側のゴム板１１がＴ型継手４のウェブ４ａの側面に当接し、隙間の発生を防止することができる。
【００４９】
さらに、図５（ｂ）の不具合に対しては、図９（ａ）〜（ｃ）に示すように、Ｔ型継手４の下端部におけるフランジ４ｂに、フランジ４ｂとＣ型継手管３との間隔を保持する間隔保持部材としての幅止め鋼板４０を取り付け、Ｔ型継手４が奥へ進入する方向にずれないようにする。図９（ｄ）に示すように、Ｃ型継手管３と鋼管矢板１との間にゴム板１１ａ、１１ｂが挟まれることがなく、破損が防止される。
【００５０】
なお、以上はＰ−Ｔ継手に適用した場合を例示したが、Ｌ−Ｔ継手、Ｐ−Ｐ継手、さらに鋼管セル等の継手にも適用することができる。
【図面の簡単な説明】
【００５１】
【図１】本発明の継手構造における止水構造の一例を示す水平断面図である。
【図２】図１の止水板の取付方法が異なる例を示す水平断面図である。
【図３】本発明で用いる継手先端刃物の例を示す（ａ）は平面図、（ｂ）は正面図、（ｃ）は側面図である。
【図４】本発明で用いるゴム板の種々の例を示す（ａ）は水平断面図、（ｂ）は拡大断面図、（ｃ）は拡大断面図である。
【図５】本発明の継手構造においてゴム板の止水効果が損なわれる不具合の例を示す水平断面図である。
【図６】本発明の継手構造における不具合を解消する第１改良案であり、（ａ）は正面図、（ｂ）は側面図、（ｃ）は水平断面図である。
【図７】本発明の継手構造における不具合を解消する第２改良案を示す水平断面図である。
【図８】図７の第２改良案による作用効果を示す水平断面図である。
【図９】本発明の継手構造における不具合を解消する第３改良案であり、（ａ）は平面図、（ｂ）は正面図、（ｃ）は側面図、（ｄ）は水平断面図である。
【符号の説明】
【００５２】
１…鋼管矢板
２…鋼管本体
３…Ｃ型継手管（雌継手）
４…Ｔ型継手（雄継手）
５…継手挿入スリット
６…止水材
７…漏洩防止ゴム
１０…止水板
１１…ゴム板（第１層）
１１ａ…ゴム板
１１ｂ…ゴム板
１２…押え布(第２層）
１３…閉じ合せ部
１３ａ…端面
１３ｂ…切り込み
１３ｃ…不連続スリット
１３ｃ´…不連続孔
２０…スタッドボルト
２１…フランジナット
２２…帯板
２５…皿ねじ
２６…雌ねじ孔
２７…座ぐり
３０…切り裂き刃物
３０ａ…刃先
４０…幅止め鋼板(間隔保持部材)
【図１】
0004886709.tif 000002
【図２】
0004886709.tif 000003
【図３】
0004886709.tif 000004
【図４】
0004886709.tif 000005
【図５】
0004886709.tif 000006
【図６】
0004886709.tif 000007
【図７】
0004886709.tif 000008
【図８】
0004886709.tif 000009
【図９】
0004886709.tif 000010